(57)【要約】      （修正有）【課題】中間脱水時における騒音、振動を抑えると共に、省エネルギー化と、洗濯物のすすぎ性能の向上を図る。【解決手段】すすぎ工程において、すすぎを複数回実行しすすぎの前に中間脱水をおこない、中間脱水は、回転ドラム１を回転数の異なる複数の定常回転数と、複数の定常回転数より高く設定された最高回転数で回転させるとともに、最高回転数で回転ドラムを駆動する時間を、複数の定常回転数で駆動する時間の和より短くなるように設定したものであり、これにより、中間脱水時における騒音、振動を抑えると共に、省エネルギー化と、洗濯物のすすぎ性能の向上を図ることができる。【選択図】図４
2011055925.tif 000002
【特許請求の範囲】
【請求項１】
水受け槽内に回転自在に配設した回転ドラムと、前記回転ドラムを駆動するモータと、前記水受け槽内に給水する給水手段と、前記水受け槽内の洗濯水を排水する排水手段と、前記モータの駆動を制御し、洗い工程、すすぎ工程、脱水工程の各工程を制御する制御手段とを備え、前記制御手段は、前記すすぎ工程において、すすぎを複数回実行し前記すすぎの前に中間脱水をおこない、前記中間脱水は、前記回転ドラムを回転数の異なる複数の定常回転数と、前記複数の定常回転数より高く設定された最高回転数で回転させるとともに、前記最高回転数で前記回転ドラムを駆動する時間を、前記複数の定常回転数で駆動する時間の和より短くなるように設定したドラム式洗濯機。
【請求項２】
制御手段は、最高回転数で回転ドラムを駆動する時間を、複数の定常回転数で設定された各々の駆動時間の最も短い時間より短くなるように設定した請求項１記載のドラム式洗濯機。
【請求項３】
制御手段は、複数の回転ドラムの定常回転数を、共振回転数を避けた回転数に設定した請求項１または２記載のドラム式洗濯機。
【請求項４】
制御手段は、すすぎ工程において、２回目のすすぎの中間脱水時に最高回転数で回転ドラムを駆動する時間を、１回目のすすぎの中間脱水時に最高回転数で回転ドラムを駆動する時間より短くなるように設定した請求項１〜３のいずれか１項に記載のドラム式洗濯機。
【請求項５】
制御手段は、すすぎ工程において、すすぎを２回おこなうように設定し、２回目のすすぎの所定水位まで給水後の撹拌時間を、１回目のすすぎの所定水位まで給水後の撹拌時間より短くなるように設定した請求項１〜４のいずれか１項に記載のドラム式洗濯機。
【請求項６】
回転ドラムの回転軸を前上がりに傾斜させた請求項１〜５のいずれか１項に記載のドラム式洗濯機。
【発明の詳細な説明】
【技術分野】
【０００１】
本発明は、回転ドラム内に洗濯物を投入し、洗濯、すすぎ、脱水などの各工程を逐次制御して洗濯するドラム式洗濯機に関するものである。
【背景技術】
【０００２】
従来、この種のドラム式洗濯機は、図６および図７に示すように構成されていた（例えば、特許文献１参照）。以下、その構成について説明する。
【０００３】
図６および図７に示すように、回転ドラム５１は、外周部に多数の通水孔５２を設け、水受け槽５３内に回転自在に配設されている。回転ドラム５１の回転中心に前上がりに傾斜させた回転軸５４を設け、この回転軸５４にモータ５５を連結し、回転ドラム５１を回転駆動する。回転ドラム５１の内壁面には数個の突起板５６が設けられている。
【０００４】
水受け槽５３は、洗濯機本体５７よりばね体５８で揺動可能に吊り下げており、水受け槽５３の下部に排水ホース５９の一端を接続し、排水ホース５９の他端を排水ポンプ６０に接続して水受け槽５３内の洗濯水を排水するようにしている。給水弁６１は水受け槽５３内に洗濯水を給水するものである。水位検知手段６２は水受け槽５３内の水位を検知するものである。
【０００５】
制御装置６３は、マイクロコンピュータで構成した制御手段６４を有し、パワースイッチング手段６５を介してモータ５５、排水ポンプ６０、給水弁６１などの動作を制御し、洗濯、すすぎ、脱水などの一連の工程を逐次制御する。入力設定手段６６は、運転コース等を設定するもので、制御手段６４は入力設定手段６６からの情報を入力して、その情報を基に表示手段６７に表示して使用者に知らせる。記憶手段６８は、制御手段６４により制御するのに必要なデータを記憶している。なお、６９は商用電源、７０は電源スイッチである。
【０００６】
上記構成において動作を説明すると、回転ドラム５１内に洗濯物と洗剤を投入し、電源スイッチ７０を入れて、スタートボタン（図示せず）を押し、洗濯工程を開始すると、給水弁６１が動作して水受け槽５３内に給水し、水位検知手段６２により所定の水位Ｎ１０１を検知するとモータ５５を駆動する。また、所定の水位Ｎ１０２（Ｎ１０１と同等以上）を検知すると給水を停止する。
【０００７】
洗い工程では、洗濯物に水が含まれるため給水しながら、回転ドラム５１はモータ５５によって所定の回転数および所定の時間において、正転、停止、反転、停止駆動させる撹拌を行い、回転ドラム５１内の洗濯物は前記撹拌により突起板５６に引っかかり、持ち上げられて水面上に落下する。この動作によって洗剤を徐々に溶解して洗濯水となり、洗濯物の汚れに作用することとなる。洗濯工程が終了すると、排水ポンプ６０を動作して水受け槽５３内の洗濯水を排水する。
【０００８】
すすぎ工程では、最初に洗濯物に吸収されている洗剤液を排出するために中間脱水工程がおこなわれ、まず、モータ５５を所定の回転数および所定の時間において、連続回転駆動し、回転ドラム５１内の洗濯物を回転ドラム５１の内壁に張り付けた状態で回転数を高速にし、その遠心力によって洗濯物内の水分を飛ばして脱水を行う。
【０００９】
次いで、洗い工程と同様に、給水しながら回転ドラム５１はモータ５５によって撹拌を行い、回転ドラム５１内の洗濯物は撹拌により突起板５６に引っかかり、持ち上げられて
水面上に落下する。この動作によって、すすぎ水が洗濯物に吸収、排出され、洗濯物内の洗剤液を希釈していく。すすぎ工程が終了すると、排水ポンプ６０を動作して水受け槽５３内のすすぎ水を排水する。
【００１０】
上記のように、すすぎ工程で中間脱水がおこなわれるのが一般的である。また、保水性の悪い洗濯物や、洗濯物が少量の場合、さらには、洗濯物の痛み防止等を目的として、中間脱水の時間を短くすることが考えられている（例えば、特許文献２参照）。
【先行技術文献】
【特許文献】
【００１１】
【特許文献１】特開平１０−２１６３９０号公報
【特許文献２】特開昭６２−１４２５８４号公報
【発明の概要】
【発明が解決しようとする課題】
【００１２】
しかしながら、前記従来の構成では、すすぎ工程にて、回転ドラム５１の撹拌によって回転ドラム５１内の洗濯物にすすぎ水を含ませながら機械力を与えて、すすぎ性能を確保している。このため、給水量が少ないドラム式洗濯機では、洗濯物のすすぎ水が均一にかかるまでに時間がかかり、すすぎムラが発生したり、すすぎ力が低下し、すすぎに要する時間が長くなるという課題を有していた。
【００１３】
本発明は前記従来の課題を解決するもので、すすぎに要する時間を長くすることなく、効率よくすすぎがおこなえるようにすることを目的とする。
【課題を解決するための手段】
【００１４】
前記従来の課題を解決するために、本発明のドラム式洗濯機は、すすぎ工程において、すすぎを複数回実行し前記すすぎの前に中間脱水をおこない、前記中間脱水は、回転ドラムを回転数の異なる複数の定常回転数と、前記複数の定常回転数より高く設定された最高回転数で回転させるとともに、前記最高回転数で前記回転ドラムを駆動する時間を、前記複数の定常回転数で駆動する時間の和より短くなるように設定したものである。
【００１５】
これにより、回転ドラムが最高回転数までに到達するまでの、複数の回転ドラムの定常回転数での回転時間により、洗濯物からの水量の多くが洗濯機外に排水されるようになり、回転ドラムが最高回転数に到達してからの排水量は少なく、すすぎ性能の大幅な向上は難しい。したがって、回転ドラムの最高回転数での回転時間を、複数の回転ドラムの定常回転数での回転時間の和より小さくすることにより、中間脱水時における騒音、振動を抑えると共に、省エネルギー化が図れる。また、洗濯物に残存する水量は若干多くなるため、すすぎ工程での給水量が少なくできるほか、所定の給水量を入れてすすぎ水を増やすことで、すすぎ性能を向上させることができる。
【発明の効果】
【００１６】
本発明のドラム式洗濯機は、中間脱水時における騒音、振動を抑えると共に、省エネルギー化と、洗濯物のすすぎ性能の向上を図ることができる。
【図面の簡単な説明】
【００１７】
【図１】本発明の実施の形態１におけるドラム式洗濯機の断面図
【図２】同ドラム式洗濯機のブロック回路図
【図３】同ドラム式洗濯機の動作を示す工程図
【図４】同ドラム式洗濯機の動作を示すタイムチャート
【図５】同ドラム式洗濯機の動作を示すタイムチャート
【図６】従来のドラム式洗濯機の断面図
【図７】同ドラム式洗濯機のブロック回路図
【発明を実施するための形態】
【００１８】
第１の発明は、水受け槽内に回転自在に配設した回転ドラムと、前記回転ドラムを駆動するモータと、前記水受け槽内に給水する給水手段と、前記水受け槽内の洗濯水を排水する排水手段と、前記モータの駆動を制御し、洗い工程、すすぎ工程、脱水工程の各工程を制御する制御手段とを備え、前記制御手段は、前記すすぎ工程において、すすぎを複数回実行し前記すすぎの前に中間脱水をおこない、前記中間脱水は、前記回転ドラムを回転数の異なる複数の定常回転数と、前記複数の定常回転数より高く設定された最高回転数で回転させるとともに、前記最高回転数で前記回転ドラムを駆動する時間を、前記複数の定常回転数で駆動する時間の和より短くなるように設定したものである。中間脱水において、中間脱水時間に対する排水量の関係は、飽和曲線の様相を示し、特に中間脱水の回転数が最高回転数となった場合には、最高回転数での中間脱水時間が長くなるに従い洗濯物からの排水量は少なくなる。また、排水の洗剤濃度も回転ドラムの回転数が高くなるに従って低下傾向にあり、回転ドラムが最高回転数までに到達するまでの、複数の回転ドラムの定常回転数での回転時間により、洗濯物からの水量の多くは洗濯機外に排水されていることから、回転ドラムの最高回転数での回転時間を長くしても洗濯物から洗濯機外に排出される水量の大幅な増大は認めらない。これより、回転ドラムの高回転により電力を多く消費する割には、洗濯物から洗剤の排出量が少ない。本発明は、中間脱水における最高回転数での保持時間よりも、洗濯物から洗剤の排出が効率的に行われる複数存在する定常回転数で回転する時間の和を長くすることにより、中間脱水の最高回転数時における騒音、振動を抑えると共に、電力の消費を抑えた効率的な洗剤の排出を行うことができるようになり、中間脱水による洗濯物の痛みを少なくすることができる。また、最高回転数での回転時間が短くなるため、洗濯物に残存する水量が若干多くなるが、この水は洗濯物より移動した洗剤を保持する能力を十分有しているため、この水を利用することによりすすぎのために供給する水を節水したり、すすぎ水を通常通り入れてすすぎ水を増やしてすすぎ性能を更に向上させることができるようになる。そして、最高回転数で短縮された時間は、その時間を最もすすぎ性能が良好となる所定水位まで給水後の撹拌時間に利用することにより、すすぎ性能を大幅に向上させることができるようになる。
【００１９】
第２の発明は、特に、第１の発明の制御手段は、最高回転数で回転ドラムを駆動する時間を、複数の定常回転数で設定された各々の駆動時間の最も短い時間より短くなるように設定したことにより、洗濯物からの洗剤の排出量が少なく、すすぎの効率があまり良好でない中間脱水における最高回転数での保持時間は更に短くなるため、中間脱水の最高回転数時における騒音、振動を抑えると共に、電力の消費を抑えた効率的な洗剤の排出を行うことができ、中間脱水による洗濯物の痛みを少なくすることができる。また、中間脱水時間は更に短くなるため、すすぎ工程で消費電力量の低減を図ることができる。さらに、最高回転数での回転時間が短くなるため、洗濯物に残存する水量が若干多くなるが、この水は洗濯物より移動した洗剤を保持する能力を十分有しているため、この水を利用することによりすすぎのために供給する水を節水したり、すすぎ水を通常通り入れてすすぎ水を増やしてすすぎ性能を更に向上させることができる。また、中間脱水で第１の発明よりもより短縮された時間を、最もすすぎ性能が良好となる所定水位まで給水後の撹拌時間を長くして利用することにより、すすぎ性能をさらに向上することができる。
【００２０】
第３の発明は、特に、第１または第２の発明の制御手段は、複数の回転ドラムの定常回転数を、共振回転数を避けた回転数に設定したことにより、複数の定常回転数で駆動する時間は、水受け槽や洗濯機本体の共振を避けることができるため、中間脱水における振動や騒音を少なくすることができる。
【００２１】
第４の発明は、特に、第１〜第３のいずれか１つの発明の制御手段は、すすぎ工程において、２回目のすすぎの中間脱水時に最高回転数で回転ドラムを駆動する時間を、１回目のすすぎの中間脱水時に最高回転数で回転ドラムを駆動する時間より短くなるように設定したことにより、２回目の中間脱水時は洗濯物の洗剤量は大幅に低減しているため、すすぎ性能を低下させることなく、すすぎ時間を短縮することができる。
【００２２】
第５の発明は、特に、第１〜第４のいずれか１つの発明の制御手段は、すすぎ工程において、すすぎを２回おこなうように設定し、２回目のすすぎの所定水位まで給水後の撹拌時間を、１回目のすすぎの所定水位まで給水後の撹拌時間より短くなるように設定したことにより、２回目のすすぎでは、洗濯物に含まれる洗剤量は大幅に低減しているため、すすぎ性能を低下させることなく、すすぎ時間を短縮することができる。
【００２３】
第６の発明は、特に、第１〜第５のいずれか１つの発明の回転ドラムの回転軸を前上がりに傾斜させたことにより、少ないすすぎ水で洗濯物との接触を良好にすることができ、すすぎ効果を高めることができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態におけるドラム式洗濯機の断面図、図２は、同ドラム式洗濯機のブロック回路図、図３は、同ドラム式洗濯機の動作を示す工程図、図４および図５は、同ドラム式洗濯機の動作を示すタイムチャートである。
【００２６】
図１〜図５において、回転ドラム１は、外周部に多数の通水孔２を設け、水受け槽３内に回転自在に配設されている。回転ドラム１の回転中心に水平方向から前上がりに傾斜させた回転軸４を設け、この回転軸４にモータ５を連結し、回転ドラム１を正逆回転駆動する。回転ドラム１の内壁面には数個の突起板６が設けられている。
【００２７】
水受け槽３は、洗濯機本体７よりばね体８で揺動可能に吊り下げており、水受け槽３の下部に排水ホース９の一端を接続し、排水ホース９の他端を排水手段を構成する排水ポンプ１０に接続して水受け槽３内の洗濯水を排水するようにしている。給水手段を構成する給水弁１１は水受け槽３内に洗濯水およびすすぎ水を給水するものである。水位検知手段１２は水受け槽３内の洗濯水およびすすぎ水の水位を検知するものである。
【００２８】
制御装置１３は、マイクロコンピュータで構成した制御手段１４を有し、パワースイッチング手段１５を介してモータ５、排水ポンプ１０、給水弁１１などの動作を制御し、洗濯、すすぎ、脱水などの一連の工程を逐次制御する。
【００２９】
入力設定手段１６は、運転コース等を設定するもので、制御手段１４は入力設定手段１６からの情報を入力して、その情報を基に表示手段１７に表示して使用者に知らせる。記憶手段１８は、制御手段１４により制御するのに必要なデータを記憶している。なお、１９は商用電源、２０は電源スイッチである。
【００３０】
２１は、回転ドラム１の回転数を検知すると共に、回転ドラム１の回転数が定常の場合にそれぞれの定常時間を計測する回転数検知・定常時間計測手段であり、この回転数検知・定常時間計測手段２１の情報が制御手段１４に送られ、パワースイッチング手段１５を介して回転ドラム１の回転数を制御する。
【００３１】
次に、本発明のドラム式洗濯機の動作について説明する。図３に示す洗濯工程の洗い工
程において、制御手段１４は、給水弁１１を作動させ、水受け槽３内に洗濯水を供給し、回転ドラム１内の洗濯物を濡らすとともに、洗剤を溶解させる。また、制御手段１４は、モータ５を駆動して回転ドラム１を回転させる。
【００３２】
これにより、回転ドラム１内の洗濯物は突起板６に引っかかり、持ち上げられて洗剤が溶解している水面上に落下することによりたたき洗いが所定時間おこなわれ、洗剤の洗濯物への浸透、排出により洗濯物の汚れを落す。洗濯物の洗いが終了すると、制御手段１４は排水ポンプ１０を動作させ、水受け槽３内の洗濯水を排水する。
【００３３】
洗い工程に続いてすすぎ工程に移行し、中間脱水から給水撹拌、所定水位まで給水後の撹拌、排水の工程を順次実行する１回目のすすぎをおこなう。図４に示すように、制御手段１４は、モータ５に信号を送り中間脱水を行うために必要な回転ドラム１内にある洗濯物のバランスコントロール動作を開始する。このバランスコントロール動作は、回転ドラム１を高速で回転させた時の振動を少なくするために、一般的な振動検知センサ（図示せず）等を用いて行われ、その回転数は例えば約５０ｒ／ｍｉｎである。
【００３４】
バランスコントロール動作の完了後、制御手段１４はモータ５の回転数を徐々に増加させて回転ドラム１の回転数を上昇させ、洗濯物から洗濯水を脱水する。この中間脱水において制御手段１４は、水受け槽３の共振回転数（約１２０、２４０、３６０ｒ／ｍｉｎ）を早いスピードで通過し、共振による振動、騒音を避けると共に、例えば、約１３０、３３０、４００ｒ／ｍｉｎの各回転数で回転ドラム１を所定時間回転させると共に、回転数検知・定常時間計測手段２１は、各々の定常回転数で所定の回転時間ｔ１、ｔ２、ｔ３を計測すると共に、その時の振動を一般的な振動検知センサ（図示せず）等によりチェックする。
【００３５】
振動検知センサで検知された振動が所定値以下であれば、回転ドラム１の回転数を設定された最高回転数（例えば、９００ｒ／ｍｉｎ）まで上昇させ、この最高回転数でｔ４時間回転後、制御手段１４はパワースイッチング手段１５を介して回転ドラム１を停止させる。この時、時間ｔ４は、ｔ１とｔ２とｔ３の時間の総和（ｔ１＋ｔ２＋ｔ３）よりも小さい値で、例えば、ｔ１は１分、ｔ２とｔ３は０．５分、ｔ４は０．５分に設定され、（１分＋０．５分＋０．５分）＝２分＞０．５分である。
【００３６】
中間脱水完了後は、回転ドラム１の内周壁面に洗濯物がある程度張り付いた状態になっている。次に、制御手段１４はパワースイッチング手段１５を介して回転ドラム１を一定方向に回転させながら、給水弁１１を開き水受け槽３にすすぎ水を溜めていく。この時の回転ドラム１の回転数は例えば８０ｒ／ｍｉｎであり、洗濯物は回転ドラム１の内周壁面に張り付いた状態に維持されている。
【００３７】
すすぎ水が水受け槽３に溜まり、水位検知手段１２が設定された所定の水位Ｎ１を検知すると、制御手段１４は給水を停止すると共に回転ドラム１の回転数を８０ｒ／ｍｉｎから所定の回転数に上昇させるべく回転ドラム１を駆動し、所定時間Ｔ１に達すると制御手段１４は回転ドラム１の回転数を落として給水を再開すると共に、回転ドラム１をタンブリングさせて撹拌駆動する。この動作により回転ドラム１の内周壁面に張り付いた洗濯物を引き剥がすと共に、水受け槽３に溜まったすすぎ水の中の洗濯物を撹拌し、すすぎを行う。
【００３８】
水位検知手段１２が設定された所定の水位Ｎ２を検知すると、制御手段１４は給水を停止すると共に、回転ドラム１の所定水位まで給水後の撹拌時間の計測を開始する。この撹拌時間ｔ５は、最高回転数での時間ｔ４より長く設定されており、撹拌時間ｔ５に到達すると制御手段１４は回転ドラム１の運転を停止させる。その後、制御手段１４は排水ポン
プ１０を作動させて、すすぎ水を洗濯機本体７の外に排出し、１回目のすすぎを完了する。
【００３９】
撹拌時間ｔ５は、洗濯完了までの時間の制約、および一定のすすぎがおこなわれた後は、撹拌時間ｔ５を長くしてもすすぎ効果は向上しにくくなるため、撹拌時間ｔ５は一般的には５分以下である。
【００４０】
次に、すすぎ工程の２回目のすすぎへと移行し、１回目のすすぎと同様に、中間脱水に続いて、給水撹拌、所定水位まで給水後の撹拌、排水の工程を順次実行する。２回目のすすぎは、回転ドラム１内にある洗濯物のバランスコントロール動作をおこなった後、回転ドラム１の回転数を設定された最高回転数（例えば、９００ｒ／ｍｉｎ）まで上昇させるまでの動作は、１回目のすすぎと同様であり、ここでの詳細な説明は１回目のすすぎのものを援用する。
【００４１】
２回目のすすぎでは、この最高回転数で所定時間ｔ６回転後、制御手段１４はパワースイッチング手段１５を介して回転ドラム１を停止させる。この時、時間ｔ６は、ｔ１とｔ２とｔ３の時間の総和（ｔ１＋ｔ２＋ｔ３）よりも小さい値であり、１回目のすすぎと同様にｔ１は１分、ｔ２とｔ３は０．５分であり、ｔ６は０．３分に設定されている。
【００４２】
中間脱水完了後は、回転ドラム１の内周壁面に洗濯物がある程度張り付いた状態になっている。次に、制御手段１４は給水弁１１を開き水受け槽３にすすぎ水を溜めていくと共に、パワースイッチング手段１５を介して回転ドラム１が撹拌運転を行い、回転ドラム１に張り付いた洗濯物を回転ドラム１より引き剥がすと共に、水受け槽３に溜まったすすぎ水の中の洗濯物を撹拌し、すすぎを行う。
【００４３】
すすぎ水が水受け槽３に溜まり、水位検知手段１２が水位Ｎ３（１回目のすすぎのＮ２より少ない）を検知すると、制御手段１４は給水を停止すると共に、回転ドラム１の所定水位まで給水後の撹拌時間ｔ７の計測を開始する。
【００４４】
撹拌時間ｔ７は、中間脱水の最高回転数での回転時間ｔ６よりも長く設定されている。撹拌時間ｔ７が経過すると、制御手段１４は回転ドラム１の運転を停止させる。撹拌時間ｔ７は、１回目のすすぎと同様に５分以下に設定され、１回目のすすぎの撹拌時間ｔ５より短くしている。その後、制御手段１４は排水ポンプ１０を作動させてすすぎ水を洗濯機本体７の外に排出し、２回目のすすぎを完了し、すすぎ工程を終了する。
【００４５】
その後、脱水工程へ移行し、制御手段１４は、モータ５に信号を送り脱水工程における最終脱水を行うために必要な回転ドラム１内にある洗濯物のバランスコントロール動作を開始する。このバランスコントロール動作は、回転ドラム１を高速で回転させた時の振動を少なくするために、一般的な振動検知センサ（図示せず）等を用いて行われる。
【００４６】
バランスコントロール動作の完了後、モータ５を介して回転ドラム１の回転数を徐々に増加させ、例えば９００ｒ／ｍｉｎに制御する。この運転により洗濯物からすすぎ水を脱水し、所定時間経過後制御手段１４がパワースイッチング手段１５を介して回転ドラム１を停止させ、脱水工程が終了することにより、洗濯工程は完了し、制御手段１４は洗濯機本体７の電源を切る。
【００４７】
すすぎ工程における１回目のすすぎ、２回目のすすぎで実行される中間脱水は、その経過時間に対し、排水量は飽和曲線の様相を示し、中間脱水の時間の経過とともに洗濯物から排出される排水量は少なくなる。また、排水の洗剤濃度も回転ドラム１の回転数が高くなるにつれて低下傾向にあり、回転ドラムが最高回転数までに到達するまでの、複数の回
転ドラムの定常回転数での回転時間により、洗濯物からの水量の多くは洗濯機外へ排水されていることにより、回転ドラムの最高回転数での回転時間を長くしても洗濯物から洗濯機外に排出される水量の大幅な増大は認めらない。
【００４８】
これより、中間脱水における最高回転数での回転時間が長くても、最高回転数での回転時間が短い場合に比較し、洗濯機本体７から排出される洗剤量は非常に少ない傾向にある。つまり、中間脱水における洗濯物からの洗剤の排出については、前記した定常回転数で回転時間ｔ１、ｔ２、ｔ３における排出量が多くなっており、最高回転数での時間ｔ４、ｔ６を長くしても洗濯物からの洗剤の排出量は大きく向上しない。
【００４９】
また、前記した様に、中間脱水により洗濯物から排出される水分中の洗剤濃度は中間脱水時間が長くなるにつれて薄くなっているため、少ない洗剤を排出するためにすすぎに有効活用できる水を洗濯機７外に捨てていることにもなっている。
【００５０】
以上のことから、中間脱水における最高回転数での回転時間ｔ４、ｔ６を定常回転数で回転時間ｔ１、ｔ２、ｔ３の和、つまり（ｔ１＋ｔ２＋ｔ３）より小さくすることにより、洗濯機本体７の騒音、振動、消費エネルギーが大きい中間脱水の最高回転数での回転時間は短縮されるため、騒音、振動の発生時間を短縮できると共に、消費エネルギーを大幅に削減できる効果が得られる。
【００５１】
また、中間脱水の最高回転数での回転時間は短縮されるため、中間脱水による洗濯物の痛みを少なくすることができる。さらに、すすぎ性能に関しては、中間脱水の最高回転数での回転時間を短縮することにより、洗濯物に残存し洗剤濃度が回転時間ｔ１、ｔ２、ｔ３で示される定常回転数での回転時よりも低くなっている水が残っており、この水を利用してすすぎのために供給する水を節水することができ、また、すすぎ水を通常通り入れてすすぎ水を増加させることですすぎ性能を向上させることができる。
【００５２】
また、中間脱水の最高回転数での回転時間ｔ４、ｔ６は定常回転数で回転時間ｔ１、ｔ２、ｔ３の和、つまり（ｔ１＋ｔ２＋ｔ３）より小さくすることにより、中間脱水時間は短縮されることになるが、すすぎ工程の時間は排水と中間脱水時間と給水撹拌時間と所定水位まで給水後の撹拌時間の和とすると、すすぎ工程の時間を同じとする場合、中間脱水時間が短くなった分を所定水量給水後の撹拌時間に追加することにより、すすぎ水が最も多い状態で撹拌が行われるため、すすぎ性能を大幅に向上させることができる。
【００５３】
（実施の形態２）
本実施の形態の特徴は、すすぎ工程において、２回目のすすぎの中間脱水時に最高回転数で回転ドラム１を駆動する時間ｔ６を、１回目のすすぎの中間脱水時に最高回転数で回転ドラムを駆動する時間ｔ４より短くなるように設定したものである。他の構成は実施の形態１と同じであり、詳細な説明は実施の形態１のものを援用する。
【００５４】
上記構成によれば、２回目のすすぎでは、洗濯物に含まれる洗剤量は大幅に低減しているため、すすぎ性能を低下させることなく、すすぎ時間を短縮することができる。
【００５５】
（実施の形態３）
本実施の形態の特徴は、すすぎ工程において、すすぎを２回おこなうように設定し、２回目のすすぎの所定水位まで給水後の撹拌時間ｔ７を、１回目のすすぎの所定水位まで給水後の撹拌時間ｔ５より短くなるように設定したものである。他の構成は実施の形態１と同じであり、詳細な説明は実施の形態１のものを援用する。
【００５６】
上記構成によれば、２回目のすすぎでは、洗濯物に含まれる洗剤量は大幅に低減してい
るため、すすぎ性能を低下させることなく、すすぎ時間を短縮することができる。
【００５７】
なお、本発明の実施の形態では、すすぎ工程での給水攪拌において、回転ドラム１内のり洗濯物に対してすすぎ水をシャワー状に給水することができる。この場合は、給水弁１１から水受け槽３に給水されたすすぎ水を回転ドラム１内へ循環させる循環シャワー構成とすることですすぎ水を素早く洗濯物へ浸透させて効果的に作用させることができ、すすぎ性能を一層向上させることができる。なお、本発明は洗濯物に対する給水構成が限定されるものではない。
【００５８】
また、本発明の実施の形態では、回転ドラム１の回転数の検知と、回転ドラム１の回転数が定常の場合にそれぞれの定常回転数での時間の計測を、回転数検知・定常時間計測手段として構成しているが、回転数を検知する手段と、定常回転数での時間を計時する手段の各々の出力を制御手段１４に入力するように構成することができる。
【産業上の利用可能性】
【００５９】
以上のように、本発明にかかるドラム式洗濯機は、中間脱水時における騒音、振動を抑えると共に、省エネルギー化と、洗濯物のすすぎ性能の向上を図ることができるので、ドラム式洗濯機として有用である。
【符号の説明】
【００６０】
１  回転ドラム
３  水受け槽
５  モータ
１０  排水ポンプ（排水手段）
１１  給水弁（給水手段）
１４  制御手段
【図１】
2011055925.tif 000003
【図２】
2011055925.tif 000004
【図３】
2011055925.tif 000005
【図４】
2011055925.tif 000006
【図５】
2011055925.tif 000007
【図６】
2011055925.tif 000008
【図７】
2011055925.tif 000009